(57)【要約】  本発明は、ゴルフのスイング動作において、正しいスイング姿勢の習得を通して安定したスイング動作を確立でき、ショルダーターン及び腰回転を自然に鍛練できるゴルフスイング練習装置について開示する。本発明のゴルフスイング練習装置は、アドレス姿勢時、両腕間に配置され、両腕の形状と符合するように逆台形に形成された胴体と、胴体の対向する両側面に各々配置され、両腕が伸びた状態で支持されるように外側方向に開放されて形成される腕支持部と、腕支持部の開放部を覆い包んで両腕の広がりと肘の曲がりなどの変形を制御する腕固定具とで構成される。  本発明によれば、ゴルファーのスイング練習のためのスイング動作時、両腕の広がりと肘の曲がりなどの変形を制御して肩と腰が自然なターンをするように誘導することにより、正しいスイング姿勢を習得して安定したスイング動作を確立でき、ショルダーターン及び腰回転動作を鍛練できる。
2011502691.tif 000002
【特許請求の範囲】
【請求項１】
ゴルフスイング練習装置において、
アドレス姿勢時、両腕間に配置され、両腕の形状と符合するように逆台形に形成された胴体１０と、
上記胴体１０の対向する両側面に各々配置され、両腕が伸びた状態で支持されるように外側方向に開放されて形成される腕支持部１２とで構成されることを特徴とするゴルフスイング練習装置。
【請求項２】
ゴルフスイング練習装置において、
アドレス姿勢時、両腕間に配置され、両腕の形状と符合するように逆台形に形成された胴体１０と、
上記胴体１０の対向する両側面に各々配置され、両腕が伸びた状態で支持されるように外側方向に開放されて形成される腕支持部１２と、
上記腕支持部１２の開放部を覆い包んで両腕の広がり及び肘の曲がりなどの変形を制御する腕固定具１４とで構成されることを特徴とするゴルフスイング練習装置。
【請求項３】
上記腕固定具１４は、上記腕支持部１２の内周面に沿って出没自在に設けられ、上記腕固定具１４の上、下部には出没方向に長さを有する案内長孔１４Ａが各々形成され、上記腕支持部１２と腕固定具１４とは連結部材により結合されていることを特徴とする請求項２に記載のゴルフスイング練習装置。
【請求項４】
上記連結部材には、上記腕固定具１４により覆い包まれる両腕の範囲が調節されるように上記腕固定具１４の出没位置を固定するための調節ねじ１４Ｂが備えられ、
上記腕支持部１２に伸びた状態で支持された両腕の肘が曲がらないように上記腕支持部１２の開放部を完全に覆い包むか、肘の曲がりが一部許されるように上記腕支持部１２の開放部を一部だけ覆い包むか、肘の曲がりが完全に許されてフルスイング時に肘が曲がるようにすることを特徴とする請求項３に記載のゴルフスイング練習装置。
【請求項５】
上記腕支持部１２は相異なる角度をなして配置されることを特徴とする請求項１乃至４のうち何れか一項に記載のゴルフスイング練習装置。
【請求項６】
上記胴体１０の前面上端部には、スイング練習時正しいスイング姿勢を習得するように一部のスイング動作でヒンジ部２１を中心に回動される姿勢確認部材２０が備えられ、
上記胴体１０の前面には上記姿勢確認部材２０を支持する支持部材２２が備えられ、
上記姿勢確認部材２０と支持部材２２とは、スイング動作中、アドレス及びインパクトで接し、バックスイング、ダウンスイング、フォロースルー及びフィニッシュで離れることを特徴とする請求項５に記載のゴルフスイング練習装置。
【請求項７】
上記胴体１０の内部には、上記姿勢確認部材２０と支持部材２２との接触回数を測定する接触センサ２４が備えられ、
上記接触センサ２４により測定されるアナログ信号をデジタル信号に変換する信号処理部３０が備えられ、
上記信号処理部３０により変換されたデジタル信号を既入力された情報によってスイング回数に演算して出力信号を発生する制御部３２が備えられ、
上記制御部３２の出力信号は、上記胴体１０の前面に備えられるディスプレイ部３４に出力されることを特徴とする請求項６に記載のゴルフスイング練習装置。
【請求項８】
上記胴体１０の内部には、スイング動作時に胴体１０の垂直角度と水平角度を測定する垂直センサ２６及び水平センサ２８が各々備えられ、
上記垂直センサ２６によりアドレス及びインパクト時に上記胴体１０の垂直角度が測定され、
上記水平センサ２８によりバックスイング及びフォロースルー時に上記胴体１０の水平角度が測定され、
上記垂直センサ２６及び水平センサ２８によって測定されるアナログ信号は信号処理部３０によってデジタル信号に変換され、変換されたデジタル信号は制御部３２で垂直角度と水平角度に演算されてディスプレイ部３４に出力されることを特徴とする請求項７に記載のゴルフスイング練習装置。
【請求項９】
上記胴体１０には、上記垂直センサ２６及び水平センサ２８の感知信号の入力を受けた制御部３２によってメッセージを発生するメッセージ発生部３６が備えられることを特徴とする請求項８に記載のゴルフスイング練習装置。
【請求項１０】
上記メッセージ発生部３６は、上記胴体１０が設定された垂直角度と水平角度をなす時にメッセージを発生することを特徴とする請求項９に記載のゴルフスイング練習装置。
【請求項１１】
上記メッセージ発生部３６は、光を出力するランプ３６Ａ、及びメロディを出力するスピーカー３６Ｂを含むことを特徴とする請求項１０に記載のゴルフスイング練習装置。
【請求項１２】
上記腕支持部１２には、両腕の変形を制御する少なくとも一つ以上の腕固定バンド１８が更に備えられることを特徴とする請求項１又は２に記載のゴルフスイング練習装置。
【請求項１３】
上記腕固定バンド１８は弾性を有することを特徴とする請求項１２に記載のゴルフスイング練習装置。
【発明の詳細な説明】
【技術分野】
【０００１】
本発明は、ゴルフスイング練習装置に関し、特に、ゴルフのスイング練習のためのスイング動作において、クラブのグリップを握る時の両腕の間隔と肘の曲がりを制御することにより正しいスイング姿勢を習得でき、正しいスイング姿勢の習得により安定したスイング動作を確立してショルダーターン及び腰回転を自然に鍛練できるゴルフスイング練習装置に関する。
【背景技術】
【０００２】
一般にゴルフは、クラブとボールとのインパクトポイントの正確さ、及びインパクトパワーの程度によって勝負が決まる競技であるため、初心者の場合、不安定なスイング姿勢と不正確なインパクトポイントの矯正が上達するための必須前提条件といえる。
【０００３】
ゴルフのスイング動作は、アドレス、バックスイング、ダウンスイング、インパクト、フォロースルー及びフィニッシュからなる。特に、ゴルフ初心者の多くはスイング動作時、両腕が広がりすぎたり曲がりすぎたりする不安定なスイング姿勢に因りゴルフボールを打撃するクラブヘッドに強い力を伝達できず、両腕の変形に因り肩と胴が一体回転するスイング動作が円滑にできないといった問題点がある。
【０００４】
よって、スイング動作時、両腕が広がりすぎずに伸びた状態でスイング軌跡を描くようにして自然なショルダーターン及び腰回転動作が伴った正しいスイング姿勢を練習する必要があり、最近、ゴルフのスイング練習時に胸部に着用して両腕の移動範囲を強制的に制御できる姿勢矯正具が提示されている。しかし、このような姿勢矯正具は、スイング動作時に両腕が広がりすぎないように補助する器具に過ぎないため、ゴルフスイング時における両腕の曲がりすぎは防止できないという問題点がある。また、このような姿勢矯正具は、肩を軸にして胴体が一体回転する動作のスイングポイントを認知させることができないため、根本的なゴルフスイングの正しい姿勢を確立できないという問題がある。
【発明の概要】
【発明が解決しようとする課題】
【０００５】
本発明は、上記のような従来技術の問題点を解消するために案出されたもので、本発明の目的は、ゴルフのスイング練習のためのスイング動作において、クラブのグリップを握る時の両腕の広がりと肘の曲がりなどの変形を制御することにより正しいスイング姿勢を習得でき、正しいスイング姿勢の習得により安定したスイング動作を確立してショルダーターン及び腰回転を自然に鍛練できるようにしたゴルフスイング練習装置を提供することにある。
【０００６】
また、本発明の他の目的は、正しいスイング動作時にメッセージ信号を発生できるようにしたゴルフスイング練習装置を提供することにある。
【課題を解決するための手段】
【０００７】
上記のような目的を解消するために、本発明は、
ゴルフスイング練習装置において、
アドレス姿勢時、両腕間に配置され、両腕の形状と符合するように逆台形に形成された胴体と、
上記胴体の対向する両側面に各々配置され、両腕が伸びた状態で支持されるように外側方向に開放されて形成される腕支持部とで構成されている。
【０００８】
また、本発明は、
ゴルフスイング練習装置において、
アドレス姿勢時、両腕間に配置され、両腕の形状と符合するように逆台形に形成された胴体と、
上記胴体の対向する両側面に各々配置され、両腕が伸びた状態で支持されるように外側方向に開放されて形成される腕支持部と、
上記腕支持部の開放部を覆い包んで両腕の広がり及び肘の曲がりなどの変形を制御する腕固定具とで構成されている。
【０００９】
また、上記腕固定具は、上記腕支持部の内周面に沿って出没自在に設けられ、上記腕固定具の上、下部には出没方向に長さを有する案内長孔が各々形成され、上記腕支持部と腕固定具とは連結部材により結合されている。
【００１０】
また、上記連結部材には、上記腕固定具により覆い包まれる両腕の範囲が調節されるように上記腕固定具の出没位置を固定するための調節ねじが備えられ、
上記腕支持部に伸びた状態で支持された両腕の肘が曲がらないように上記腕支持部の開放部を完全に覆い包むか、肘の曲がりが一部許されるように上記腕支持部の開放部を一部だけ覆い包むか、肘の曲がりが完全に許されてフルスイング時に肘が曲がるようにする。
【００１１】
また、上記腕支持部は相異なる角度をなして配置される。
【００１２】
また、上記胴体の前面上端部には、スイング練習時正しいスイング姿勢を習得するように一部のスイング動作でヒンジ部を中心に回動される姿勢確認部材が備えられ、
上記胴体の前面には上記姿勢確認部材を支持する支持部材が備えられ、
上記姿勢確認部材と支持部材とは、スイング動作中、アドレス及びインパクトで接し、バックスイング、ダウンスイング、フォロースルー及びフィニッシュで離れる。
【００１３】
また、上記胴体の内部には、上記姿勢確認部材と支持部材との接触回数を測定する接触センサが備えられ、
上記接触センサにより測定されるアナログ信号をデジタル信号に変換する信号処理部が備えられ、
上記信号処理部により変換されたデジタル信号を既入力された情報によってスイング回数に演算して出力信号を発生する制御部が備えられ、
上記制御部の出力信号は、上記胴体の前面に備えられるディスプレイ部に出力される。
【００１４】
また、上記胴体の内部には、スイング動作時に胴体の垂直角度と水平角度を測定する垂直センサ及び水平センサが各々備えられ、
上記垂直センサによりアドレス及びインパクト時に上記胴体の垂直角度が測定され、
上記水平センサによりバックスイング及びフォロースルー時に上記胴体の水平角度が測定され、
上記垂直センサ及び水平センサによって測定されるアナログ信号は信号処理部によってデジタル信号に変換され、変換されたデジタル信号は制御部で垂直角度と水平角度に演算されてディスプレイ部に出力される。
【００１５】
また、上記胴体には、上記垂直センサ及び水平センサの感知信号の入力を受けた制御部によってメッセージを発生するメッセージ発生部が備えられる。
【００１６】
また、上記メッセージ発生部は、上記胴体が設定された垂直角度と水平角度をなす時にメッセージを発生する。
【００１７】
また、上記メッセージ発生部は、光を出力するランプ、及びメロディを出力するスピーカーを含む。
【００１８】
また、上記腕支持部には、両腕の変形を制御する少なくとも一つ以上の腕固定バンドが更に備えられる。
【００１９】
また、腕固定バンドは弾性を有する。
【００２０】
本発明によるゴルフスイング練習装置は、ゴルファーのスイング練習のためのスイング動作時、両腕の広がりと肘の曲がりなどの変形を制御して肩と腰が自然なターンをするように誘導することによって、正しいスイング姿勢を習得して安定したスイング動作を確立でき、ショルダーターン及び腰回転動作を鍛練できるという有用な効果を提供する。
【００２１】
また、正しいスイング動作時にメッセージを発生することによって、ユーザーはメッセージの通知を通して正しいスイング姿勢を習得し認知できるという利点を有する。
【図面の簡単な説明】
【００２２】
【図１】本発明の望ましい第１実施例によるゴルフスイング練習装置の斜視図である。
【図２】本発明によるゴルフスイング練習装置の正面図である。
【図３】本発明によるゴルフスイング練習装置の側面図である。
【図４】本発明によるゴルフスイング練習装置の、スイング回数を測定する構成を示す図である。
【図５】本発明によるゴルフスイング練習装置の、スイング動作時胴体が設定された垂直角度と水平角度をなす時にメッセージを発生する構成を示す図である。
【図６】本発明によるゴルフスイング練習装置の使用状態図である。
【図７】本発明の望ましい第２実施例によるゴルフスイング練習装置の斜視図である。
【図８】図７に示したゴルフスイング練習装置の平断面図である。
【図９】本発明の望ましい第３実施例によるゴルフスイング練習装置の斜視図である。
【図１０】本発明の望ましい第４実施例によるゴルフスイング練習装置の斜視図である。
【発明を実施するための形態】
【００２３】
以下、添付図面を参照しながら本発明の望ましい各実施例によるゴルフスイング練習装置について詳しく説明する。
【００２４】
本発明の望ましい第１実施例によるゴルフスイング練習装置は、図１乃至図５に示したように、アドレス姿勢時、両腕間に配置され、両腕の形状と符合するように逆台形に形成された胴体１０と、胴体１０の対向する両側面に各々配置され、両腕が伸びた状態で支持されるように外側方向に開放されて形成される腕支持部１２とで構成される。
【００２５】
これをより詳しく説明すれば、胴体１０は、スイング動作の基本姿勢であるアドレス姿勢において、クラブのグリップを握る時の両腕を支持するように両腕間に配置され、両腕の形状と符合するように逆台形に形成される。
【００２６】
また、腕支持部１２は、両腕が伸びた状態で支持されるように胴体１０の対向する両側面に各々配置される。腕支持部１２は、外側方向に開放されるように半円形の断面構造に形成されることによって、両腕の安定的な支持が可能になる。
【００２７】
腕支持部１２は、胴体１０の両側面に相異なる角度をなすように各々配置される。即ち、腕支持部１２は、アドレス姿勢において、クラブのグリップを握る時の両腕の角度（アドレスのためにクラブのグリップを握る時、右腕に比べて左腕がより大きな傾斜を有する）に符合するように胴体１０の両側面に相異なる角度をなして各々配置されることにより、両腕を安定的に支持することができる。
【００２８】
そして、図面に示されていないが、腕支持部１２の内側面には、支持された両腕との摩擦力を高めるためのゴムパッドが設けられ得る。ゴムパッドは腕支持部１２と両腕との摩擦力を高めることによって、スイング動作時、腕支持部１２における両腕の遊動を防止する。
【００２９】
また、胴体１０の前面上端部には、スイング練習時正しいスイング姿勢を習得するように一端部がヒンジ部２１によって連結される姿勢確認部材２０が備えられており、姿勢確認部材２０は胴体１０の前面に備えられる支持部材２２によって支持されている。姿勢確認部材２０は、支持部材２２と接し、一部のスイング動作において支持部材２２と離れるようにヒンジ部２１を中心に回動する。
【００３０】
即ち、姿勢確認部材２０と支持部材２２とはスイング動作中、アドレス及びインパクトで接し、バックスイング、ダウンスイング、フォロースルー及びフィニッシュで離れるのが正確なスイング動作であるため、ユーザーはスイング動作中に姿勢確認部材２０と支持部材２２との接触及び離間状態を視認してスイング姿勢を確認することができる。
【００３１】
また、胴体１０の内部にはスイング動作時に姿勢確認部材２０と支持部材２２との接触回数を測定する接触センサ２４が備えられており、胴体１０の垂直角度と水平角度を測定する垂直センサ２６と水平センサ２８が各々備えられている。
【００３２】
また、胴体１０の内部には、各センサ２４、２６、２８により測定されるアナログ信号をデジタル信号に変換する信号処理部３０が備えられており、信号処理部３０により変換された信号を既入力された情報によって演算して出力信号を発生する制御部３２が備えられている。制御部３２の出力信号は胴体１０の前面に備えられるディスプレイ部３４を通して再生される。
【００３３】
よって、スイング練習時、接触センサ２４により測定されたアナログ信号は信号処理部３０でデジタル信号に変換され、変換されたデジタル信号は既入力された情報によって制御部３２でスイング回数に演算されてディスプレイ部３４に出力される。
【００３４】
即ち、スイング動作の１回完了時、姿勢確認部材２０と支持部材２２とはアドレスとインパクトで２回接することになるため、制御部３２は接触センサ２４と信号処理部３０から信号の入力を受け既入力された情報によってスイング回数に演算してディスプレイ部３４に出力することにより、ユーザーはスイング動作の回数を確認することができる。
【００３５】
ここで、姿勢確認部材２０と支持部材２２との接触及び離間による接触回数を接触センサ２４で測定することは、当業者であれば、姿勢確認部材２０と支持部材２２に対する電流の通電及び不通電を利用して容易に実施可能なことであるため、これに関する詳しい説明は省略する。
【００３６】
また、スイング練習時、垂直センサ２６と水平センサ２８により測定されたアナログ信号は信号処理部３０でデジタル信号に変換され、変換されたデジタル信号は既入力された情報によって制御部３２で垂直角度と水平角度に各々演算されてディスプレイ部３４に出力される。
【００３７】
即ち、垂直センサ２６はスイング動作中のアドレス及びインパクト時に胴体１０の垂直角度を測定し、水平センサ２８はバックスイング及びフォロースルー時に胴体１０の水平角度を測定し、垂直センサ２６及び水平センサ２８により測定されるアナログ信号は信号処理部３０によりデジタル信号に変換され、変換されたデジタル信号は制御部３２で垂直角度と水平角度に演算されてディスプレイ部３４に出力されることにより、ユーザーはスイング動作時にディスプレイ部３４から出力される胴体１０の角度をリアルタイムで確認できる。
【００３８】
そして、胴体１０の内部には、スイング動作時、垂直センサ２６及び水平センサ２８の感知信号の入力を受けた制御部３２の制御により胴体１０が設定された垂直角度と水平角度をなす際に、これを知らせるメッセージを発生する通知手段としてメッセージ発生部３６が備えられている。この時、制御部３２は、垂直センサ２６及び水平センサ２８を通して入力された情報と既入力された情報とを比較して、胴体１０が設定された垂直角度と水平角度をなせばメッセージ発生部３６を制御してユーザーに知らせる機能を有する。
【００３９】
即ち、胴体１０の設定された垂直角度はアドレスとインパクト時に胴体１０が垂直状態からクラブ方向に向かって１５゜程度持ち上げられた状態であり、胴体１０の設定された水平角度はバックスイング及びフォロースルー時に胴体１０が水平をなす状態である。
【００４０】
よって、制御部３２は、垂直センサ２６及び水平センサ２８からリアルタイムで測定されて入力される信号により、胴体１０が設定された垂直及び水平角度をなす時にメッセージ発生部３６の通知手段を利用してユーザーに知らせることによって、ユーザーはメッセージ発生部３６のメッセージを通して正しいスイング軌道を認知して正確なスイング姿勢を習得できる。
【００４１】
また、メッセージ発生部３６の通知手段としては、光を出力するランプ３６Ａ、及びメロディを出力するスピーカー３６Ｂを採択するのが望ましいが、敢えてこれに限定されるものではない。
【００４２】
この時、胴体１０が設定された垂直角度と水平角度をなす場合は、ランプ３６Ａは緑色に点灯しスピーカー３６Ｂは音声信号を発生し、反対に胴体１０が設定された垂直角度と水平角度を逸脱する場合は、ランプ３６Ａは赤色に点灯しスピーカー３６Ｂは音声信号を発生しないように構成されている。
【００４３】
説明のない符号“１６”は、胴体１０の前面に備えられ、胴体１０をオン／オフさせるための電源スイッチ１６を示している。電源スイッチ１６は、ユーザーが本発明を概略５分程度使用しなかった時、電源が自動でオフになるように構成される。また、番号“１７”は、電源スイッチ１６と隣接して備えられ、ディスプレイ部３４から出力されたスイング回数の零点調節のための零点スイッチ１６を示している。
【００４４】
この時、電源スイッチ１６、零点スイッチ１７などは制御部３２と電気的に連結され、各スイッチの信号は制御部３２により制御されて実行される。
以下、このような構成を有する本発明の作用を説明する。
【００４５】
本発明によるゴルフスイング練習装置は、図６に示したように、アドレス姿勢時に胴体１０の腕支持部１２に両腕が伸びた状態で支持されるように着用する。この時、腕支持部１２は、クラブのグリップを握る時の両腕の角度に符合するように胴体１０の両側面に相異なる角度をなして各々配置されることにより、両腕を安定的に支持することができる。
【００４６】
このように本発明は、着用状態でスイング練習のためのスイング動作、即ちアドレス、バックスイング、ダウンスイング、インパクト、フォロースルー及びフィニッシュへとつながる一連の動作を練習するためのものである。
【００４７】
まず、アドレス段階はボールに対して姿勢をとることで、アドレスが正しくなければどんなスイングをしたとしてもボールが所望の方向に飛んでいかないため、アドレスはスイング動作の基本姿勢と言える。
【００４８】
即ち、アドレスの正しい姿勢は、クラブの握る位置と体の角度を常に意識するべきであるが、グリップが目の下よりは前に出ないようにし、膝を若干曲げるべきである。この時、膝を曲げ過ぎたり、猫背になると手の位置が下がる（ハンドダウン）。また、グリップの終端と体との間隔は拳１個半か２個程度が適している。
【００４９】
特に、クラブのグリップを握った後、両腕の角度は鉛直方向から上方へ１５゜程度持ち上げられた状態を維持するべきである。
【００５０】
このようなアドレス姿勢を取る場合に、胴体１０はディスプレイ部３４を通して両腕の角度をリアルタイムで提供するため、ユーザー（例えば、初心者）は不正確なアドレス姿勢を矯正して習得できるようになる。
【００５１】
この時、胴体１０の内部に備えられる垂直センサ２６はクラブのグリップを握るために鉛直方向から上方へと持ち上げられる両腕と同一の角度をなす胴体１０の角度を測定し、測定された信号が信号処理部３０と制御部３２を介してディスプレイ部３４に出力されることによって、ユーザーは胴体１０の角度をリアルタイムで確認してアドレスの正確な姿勢を習得できるようになる。
【００５２】
また、アドレス姿勢時、胴体１０が両腕により設定された垂直角度、即ち鉛直方向から上方へ１５゜程度持ち上げられた状態をなす時、制御部３２はメッセージ発生部３６を制御してランプ３６Ａ及びスピーカー３６Ｂを通してライト及び音声信号で知らせることにより、ユーザーはメッセージ発生部３６の通知を通して現在の姿勢が正しいアドレスであることを認知できる。
【００５３】
次に、バックスイング段階はアドレス姿勢からクラブを右側へ引き上げる動作で、バックスイングの正しい姿勢は、両腕をまっすぐ伸ばして肩と胴を一体回転させながらクラブをユーザーの右側へ位置させる回転軌道をなすようにするべきである。
【００５４】
特に、クラブが回転軌道を描きユーザーの右側へ位置する場合に、両腕の角度は地面と平行の状態を維持するべきである。
【００５５】
このようなバックスイング姿勢を取る場合、胴体１０はアドレス姿勢と同様にディスプレイ部３４を通して両腕の水平角度をリアルタイムで提供するため、ユーザーは不正確なバックスイング姿勢を矯正して習得できるようになる。
【００５６】
この時、胴体１０の内部に備えられる水平センサ２８はバックスイングにより地面と平行の状態でユーザーの右側へ位置する両腕と同一の角度をなす胴体１０の角度を測定し、測定された信号が信号処理部３０と制御部３２を介してディスプレイ部３４に出力されるためユーザーは胴体１０の角度を確認することができるが、バックスイング時にはこのような確認が難しいことから、両腕により持ち上げられた胴体１０が設定された水平角度、即ち地面と平行の状態をなす時、制御部３２により制御されるメッセージ発生部３６の通知を通して現在の姿勢が正しいバックスイング姿勢であることを認知できるようになる。
【００５７】
また、バックスイングのために両腕をまっすぐ伸ばして肩と胴が一体に回転軌道を描きクラブをユーザーの右側へ位置させる場合、胴体１０の腕支持部１２によって両腕の変形が制御されて自然なショルダーターン及び腰回転がなされることにより、安定したバックスイング姿勢の習得を通してショルダーターン及び腰回転動作を鍛練できる。
【００５８】
次に、ダウンスイング段階はバックスイング姿勢からインパクトまでクラブを振り回してボールを打つ動作で、ダウンスイングの正しい姿勢は、上述したアドレスからバックスイングへとつながる経路と逆の同一経路を提供する回転軌道をなすようにするべきである。
【００５９】
このようなダウンスイング姿勢を取る場合、上述したアドレスからバックスイングへとつながる経路と逆の同一経路を描く安定した回転軌道を通してダウンスイング姿勢を矯正して習得できるようになる。
【００６０】
次に、インパクト段階はダウンスイング姿勢からボールを打つ動作で、インパクトの正しい姿勢は、上述したアドレス姿勢に、バックスイングからダウンスイングへとつながる回転軌道によるクラブの回転力を結合したものである。
【００６１】
このようなインパクト姿勢を取る場合、垂直センサ２６が上述したアドレス姿勢時と同様に胴体１０の角度を測定し、測定された胴体１０の角度は信号処理部３０と制御部３２を介してリアルタイムでディスプレイ部３４に出力され、さらに胴体１０が設定された垂直角度をなす時、メッセージ発生部３６を通してライト及び音声信号で知らせることにより、ユーザーは胴体１０の角度確認とメッセージ発生部３６の通知を通して正しいインパクト姿勢を習得し認知できるようになる。
【００６２】
次に、フォロースルー及びフィニッシュ段階は、インパクト姿勢でボールを打った後ボールが正確に目標地点に向かって飛んでいくように意図した飛距離を提供するためにクラブを左側へ引き上げる動作で、フォロースルーの正しい姿勢は、バックスイングと同様に両腕をまっすぐ伸ばして肩と胴を一体回転させながらクラブをユーザーの左側へ位置させる回転軌道をなすようにするべきである。この時、クラブが回転軌道を描きユーザーの左側へ位置する場合、両腕の角度は地面と平行の状態を維持してフィニッシュ姿勢へと連結するようにするべきである。
【００６３】
このようなフォロースルー及びフィニッシュ姿勢を取る場合、胴体１０はフォロースルーにおいてバックスイングと同様にディスプレイ部３４を通して両腕の水平角度をリアルタイムで提供するため、ユーザーは不正確なフォロースルー及びフィニッシュ姿勢を矯正して習得できるようになる。
【００６４】
この時、胴体１０はバックスイングと同様にフォロースルー及びフィニッシュにより地面と平行の状態でユーザーの左側へ位置する両腕と同一の角度をなす胴体１０の角度を出力しユーザーはこれを確認することができるが、フォロースルー時にはこのような確認が難しいことから、両腕により持ち上げられた胴体１０が設定された水平角度、即ち地面と平行の状態をなす時に発生されるメッセージ発生部３６の通知を通して現在の姿勢が正しいフォロースルー姿勢であることを認知できるようになる。
【００６５】
また、フォロースルー及びフィニッシュのために両腕をまっすぐ伸ばして肩と胴を一体回転させながらクラブをユーザーの左側へ位置させる場合、胴体１０に支持された両腕の変形が制御されて自然なショルダーターン及び腰回転がなされることにより、正しいフォロースルーの習得を通して自然にフィニッシュへと連結されショルダーターン及び腰回転動作を鍛練できる。
【００６６】
また、胴体１０の前面には、スイング練習時正しいスイング姿勢を習得するように一部のスイング動作においてヒンジ部２１を中心に回動する姿勢確認部材２０が支持部材２２と接して支持されるように備えられており、胴体１０の内部には、姿勢確認部材２０と支持部材２２との接触及び離間による接触回数を測定する接触センサ２４が備えられていて、ユーザーはスイング動作時、姿勢確認部材２０と支持部材２２との接触及び離間状態の確認を通して正しいスイング姿勢を確認できるばかりか、接触センサ２４の測定によりスイング動作の回数を確認できる。
【００６７】
即ち、姿勢確認部材２０と支持部材２２とはスイング動作中、アドレス及びインパクトで接し、バックスイング、ダウンスイング、フォロースルー及びフィニッシュで離れるのが正確なスイング動作であるため、ユーザーはスイング動作中に姿勢確認部材２０と支持部材２２との接触及び離間状態を視認してスイング姿勢を確認することができる。
【００６８】
また、スイング練習によるスイング動作の１回完了時、姿勢確認部材２０と支持部材２２とはアドレスとインパクトで２回接することになるため、制御部３２は接触センサ２４と信号処理部３０から信号の入力を受け既入力された情報によってスイング回数に演算してディスプレイ部３４に出力することにより、ユーザーはスイング動作の回数を確認できる。
【００６９】
一方、本発明の第２実施例によるゴルフスイング練習装置は、図７及び図８に示したように、腕支持部１２の開放部を覆い包んで両腕の広がりと肘の曲がりなどの変形を制御する腕固定具１４が更に備えられている。
【００７０】
腕固定具１４は、腕支持部１２に伸びた状態で支持されている両腕を覆い包んでスイング動作時に両腕が広がりすぎたり肘が曲がったりしないように両腕の変形を制御する役割をし、このために半円形の断面構造に形成され腕支持部１２の内周面に沿って開放部に対して出没自在に設けられている。腕固定具１４の上、下部には、腕支持部１２の開放部に対して出没するために出没方向に長さを有する案内長孔１４Ａが各々形成されている。この時、腕支持部１２と腕固定具１４とは案内長孔１４Ａの一側に備えられる連結部材によって結合されている。
【００７１】
また、連結部材には、腕支持部１２により覆い包まれる両腕の範囲が調節されるように腕固定具１４の出没位置を固定するための調節ねじ１４Ｂが備えられている。
【００７２】
即ち、初級者の場合は、腕支持部１２に伸びた状態で支持されている両腕の肘が曲がらないように腕支持部１２の開放部を腕固定具１４で完全に覆い包み調節ねじ１４Ｂで固定することにより、スイング動作時、両腕の肘が腕固定具１４により肩の高さまで上がらないようになって自然なショルダーターン及び腰回転がなされることができる。
【００７３】
また、中級者の場合は、肘の曲がりが一部許されるように腕支持部１２の開放部を腕固定具１４で一部だけ覆い包んだ状態で調節ねじ１４Ｂで固定することによって、スイング動作時、両腕が肩の高さ以上に上がる場合に肘がある程度曲がるように許されることができる。
【００７４】
そして、上級者の場合は、腕支持部１２の開放部を覆い包まないように腕支持部１２の内周面に腕固定具１４を調節ねじ１４Ｂで固定することによって、スイング動作により両腕が肩の高さ以上に上がるフルスイング時に肘が自然に曲がるようにすることができる。
【００７５】
このような本発明の第２実施例によるゴルフスイング練習装置は、腕支持部１２の内周面に沿って腕固定具１４が出没して腕固定具１４による両腕の覆い包まれる範囲が調節されるように腕固定具１４の出没位置が調節ねじ１４Ｂで固定されることによって、両腕の肘が曲がらないように制御でき、また一部のスイング動作で肘の曲がりが一部又は完全に許されて自然なスイング動作がなされることができる。
【００７６】
上記のように構成された本発明の望ましい第２実施例によるゴルフスイング練習装置以外の構成及び作用は、本発明の望ましい第１実施例と同一のため省略する。
【００７７】
一方、本発明の望ましい第３実施例によるゴルフスイング練習装置は、図９に示したように、腕支持部１２に両腕の変形を制御する少なくとも一つ以上の腕固定バンド１８が更に備えられている。
【００７８】
腕固定バンド１８は弾性体で形成されている。腕固定バンド１８の相互締結には、ベルクロテープ、スナップボタンなどを採択できるが、敢えてこれに限定されるものではない。
【００７９】
このような本発明の第３実施例によるゴルフスイング練習装置は、正しいスイング動作がある程度熟達したユーザー（例えば、中級者）がスイング練習時に腕固定具１４と腕固定バンド１８を同時に利用してスイング動作をすることによって左腕や右腕又は両腕を選択的に制御して肘の曲がりを制御したり一部許したりすることで、基本的なスイング動作は勿論、フルスイングも可能になる。
【００８０】
上記のように構成された本発明の望ましい第３実施例によるゴルフスイング練習装置以外の構成及び作用は、本発明の望ましい第１実施例及び第２実施例と同一のため省略する。
【００８１】
一方、本発明の望ましい第４実施例によるゴルフスイング練習装置は、図１０に示したように、腕支持部１２に伸びた状態で支持されている両腕を腕固定具１４の代わりに腕固定バンド１８だけで固定することにより、アドレス、ダウンスイング及びインパクトの姿勢では腕固定バンド１８の弾性によって肘が曲がらないように制御し、クラブが肩の高さ以上に上がるバックスイング、フォロースルー及びフィニッシュの姿勢では腕固定バンド１８の弾性に勝る肘の曲がりが許されるようにしてスムーズで自然なスイング動作を演出することができる。
【００８２】
上記のように構成された本発明の望ましい第４実施例によるゴルフスイング練習装置以外の構成及び作用は、本発明の望ましい第１実施例及び第２実施例と同一のため省略する。
【００８３】
以上、本発明を実施例によって説明したが、本発明は上記実施例に限定されるものではなく、本発明の属する分野についての通常の知識を有する者ならば誰でも、特許請求の範囲にて請求する本発明の要旨を逸脱しない範囲で多様な変形が可能である。
【符号の説明】
【００８４】
１０  胴体
１２  腕支持部
１４  腕固定具
１８  腕固定バンド
２０  姿勢確認部材
２２  支持部材
２４  接触センサ
２６  垂直センサ
２８  水平センサ
３０  信号処理部
３２  制御部
３４  ディスプレイ部
３６  メッセージ発生部
【図１】
2011502691.tif 000003
【図２】
2011502691.tif 000004
【図３】
2011502691.tif 000005
【図４】
2011502691.tif 000006
【図５】
2011502691.tif 000007
【図６】
2011502691.tif 000008
【図７】
2011502691.tif 000009
【図８】
2011502691.tif 000010
【図９】
2011502691.tif 000011
【図１０】
2011502691.tif 000012
【国際調査報告】
2011502691.tif 000013
2011502691.tif 000014